(57)【特許請求の範囲】
【請求項１】
太陽電池が封入されたソーラーパネルを支持枠によって支持し、前記支持枠の上面に、前記ソーラーパネルに電気接続する中継コネクタを設け、前記支持枠の上部に、前記中継コネクタおよびそれに接続分離可能に接続される電気配線を覆う状態で笠木を設け、かつ、前記笠木を、前記中継コネクタおよび電気配線を覆う使用状態と、前記支持枠の上方を開放するとともに前記笠木の内面を外方に向けて前記電気配線を受け止め可能な作業状態とに変位可能に設けてあることを特徴とする手摺。
【請求項２】
請求項１に記載の手摺において、
笠木の長手方向に直交する幅方向の一側縁を、支持枠の一側縁の下部に前記笠木の長手方向にスライド可能に係止するとともに、その係止箇所を中心としてスライド方向の軸心周りで回転させることにより作業状態に変位可能に設けてある手摺。
【請求項３】
請求項１に記載の手摺において、
笠木を前記支持枠から上方に取り外し可能に設け、取り外した前記笠木の長手方向に直交する幅方向の一側縁を係脱可能に係止する係止部を前記支持枠の一側縁の下部に設け、前記笠木を前記係止部に係止させた状態で前記笠木の長手方向に沿う軸心周りで回転させることにより作業状態に変位可能に設けてある手摺。
【請求項４】
請求項１、２、３のいずれかに記載の手摺において、
互いに近接した一対の支柱の上端を連結部材で一体連結して支柱を構成し、かつ、ソーラーパネルの下方側ほど外方に張り出す傾斜姿勢になるように、前記連結部材に支持枠の上方側部分を取り付けるとともに前記一対の支柱の下方側に前記支持枠の下方側部分を連結支持部材を介して外方に突出した位置で取り付けてある手摺。
【発明の詳細な説明】
【技術分野】
【０００１】
本発明は、集合住宅の渡り廊下とかベランダや踊り場などのバルコニーに設けられるバルコニー用手摺とか、屋上、通路、歩道橋、ペデストリアンデッキなどに設けられる手摺に関し、詳しくは、太陽電池が封入されたソーラーパネルを用いた手摺に関する。
【背景技術】
【０００２】
従来の手摺としては、バルコニー用手摺りで例示すれば、次のようなものが知られている。
すなわち、隣り合うバルコニー用手摺り支柱間に上下一対の横材が取り付けられ、中央箇所では、横材とバルコニー用手摺り支柱で囲まれた部分に、アルミ製のガラス枠により網入りガラスが取り付けられて構成されている（特許文献１参照）。
【０００３】
近年では、上述のような網入りガラスに代えて、ソーラーセル（太陽電池）を封入した複合安全ガラスとしてのソーラーモジュール（ソーラーパネル）を使用することが提案されている（特許文献２参照）。
【先行技術文献】
【特許文献】
【０００４】
【特許文献１】特開２００５−９００４１号公報（図１など）
【特許文献２】特開２００６−１３５０５号公報（請求項１０など）
【発明の概要】
【発明が解決しようとする課題】
【０００５】
ソーラーパネルを手摺に使用する場合、通常、所定の大きさのソーラーパネルの複数個を並べて用い、それらのソーラーパネルの上部側でソーラーパネルどうしを電気配線、あるいは、電気配線と中継コネクタを介するなどによって電気的に接続している。
更に、それらの電気配線や中継コネクタなどを覆うために、ソーラーパネルを、その全周にわたって周囲から支持する支持枠の上方に笠木が取り付けられる。
【０００６】
上述のような電気配線どうし、あるいは、電気配線と中継コネクタとの配線接続作業を行う場合、笠木を取り外した状態で行うことになる。
しかしながら、ソーラーパネルの上部枠の上面は比較的幅が狭い上に平坦であり、そこに中継コネクタや電気配線や被覆テープ、更には工具などを載置したときに、それらが不測に落下する虞があり、配線接続作業がしづらい不都合があった。
【０００７】
本発明は、このような事情に鑑みてなされたものであって、請求項１に係る発明は、電気配線どうし、あるいは、電気配線と中継コネクタとの配線接続作業を容易に行える手摺を提供することを目的とし、請求項２に係る発明は、笠木の内面を広く利用できるようにして配線接続作業を一層容易に行えるようにすることを目的とし、請求項３に係る発明は、笠木を容易に交換できるようにすることを目的とし、請求項４に係る発明は、発電量を増加できながらソーラーパネルに対する支持強度を向上できるようにすることを目的とする。
【課題を解決するための手段】
【０００８】
請求項１に係る発明は、上述のような目的を達成するために、
太陽電池が封入されたソーラーパネルを支持枠によって支持し、前記支持枠の上面に、前記ソーラーパネルに電気接続する中継コネクタを設け、前記支持枠の上部に、前記中継コネクタおよびそれに接続分離可能に接続される電気配線を覆う状態で笠木を設け、かつ、前記笠木を、前記中継コネクタおよび電気配線を覆う使用状態と、前記支持枠の上方を開放するとともに前記笠木の内面を外方に向けて前記電気配線を受け止め可能な作業状態とに変位可能に設けて構成する。
【０００９】
（作用・効果）
請求項１に係る発明の手摺の構成によれば、手摺を現場に搬入して支柱をバルコニーのパラペットなどの固定部に立設固定した後、笠木を作業状態に変位させておき、その笠木の内面に、中継コネクタや電気配線や被覆テープ、更には工具などを載置しながら、ソーラーパネルで発生した電力を受けるための配設接続作業を行うことができる。
したがって、笠木を利用して、中継コネクタや電気配線や被覆テープや工具などを不測に落下させること無く、電気配線どうし、あるいは、電気配線と中継コネクタとの接続などを行うことができ、配線接続作業を容易に行える手摺を提供できる。
【００１０】
また、請求項２に係る発明は、前述のような目的を達成するために、
請求項１に記載の手摺において、
笠木の長手方向に直交する幅方向の一側縁を、支持枠の一側縁の下部に前記笠木の長手方向にスライド可能に係止するとともに、その係止箇所を中心としてスライド方向の軸心周りで回転させることにより作業状態に変位可能に設けて構成する。
【００１１】
（作用・効果）
請求項２に係る発明の手摺の構成によれば、笠木の長手方向に直交する幅方向の一側縁を軸心として回転させることにより笠木を作業状態に変位することができる。
したがって、作業状態において、笠木の内面全面を外方に向けた状態にでき、笠木の内面を広く利用でき、中継コネクタや電気配線や被覆テープや工具などを不測に落下させること無く載置しやすく、配線接続作業を一層容易に行える。
【００１２】
また、請求項３に係る発明は、前述のような目的を達成するために、
請求項１に記載の手摺において、
笠木を前記支持枠から上方に取り外し可能に設け、取り外した前記笠木の長手方向に直交する幅方向の一側縁を係脱可能に係止する係止部を前記支持枠の一側縁の下部に設け、前記笠木を前記係止部に係止させた状態で前記笠木の長手方向に沿う軸心周りで回転させることにより作業状態に変位可能に設けて構成する。
【００１３】
（作用・効果）
手摺を設置した後の使用時に、他物との衝突などによって笠木が損傷したような場合にあって、笠木の内側に雨水が浸入して、電気配線どうし、あるいは、電気配線と中継コネクタとの接続箇所などから不具合が発生する虞がある。このような事態が生じた場合に、笠木を交換する必要がある。ところが、笠木の長手方向に直交する幅方向の一側縁を、支持枠の一側縁の下部に前記笠木の長手方向にスライド可能に設けたものの場合、一旦設置した後では、笠木をスライドさせるスペースが無くて、支柱との連結を解除して手摺全体を移動させなければならなくなるなど、笠木の交換に多大な手間を要する不都合がある。請求項３に係る発明の手摺の構成によれば、使用状態と作業状態とが得られるものでありながら、笠木だけをその上方に取り外して交換することができる。
したがって、笠木を容易に交換することができるから、配線接続作業を容易に行える上に、メンテナンスコストを低減できて経済的である。
【００１４】
また、請求項４に係る発明は、前述のような目的を達成するために、
請求項１、２、３のいずれかに記載の手摺において、
互いに近接した一対の支柱の上端を連結部材で一体連結して支柱を構成し、かつ、ソーラーパネルの下方側ほど外方に張り出す傾斜姿勢になるように、前記連結部材に支持枠の上方側部分を取り付けるとともに前記一対の支柱の下方側に前記支持枠の下方側部分を連結支持部材を介して外方に突出した位置で取り付けて構成する。
【００１５】
（作用・効果）
請求項４に係る発明の手摺の構成によれば、ソーラーパネルを、その下方側ほど外方に張り出す傾斜姿勢になるようにすることで、太陽光を受けやすくして受光光量を増加し、発電量を増加できる。
更に、一対の支柱の上端を連結部材で一体連結して支柱を構成することにより支柱自体の強度を高くし、ソーラーパネルを支持する支持枠の上方側部分を連結部材に、そして、下方側部分を連結支持部材にそれぞれ取り付け、通常のガラスパネルや格子などで構成される手摺に比べて重量が大きく、しかも傾斜姿勢のソーラーパネルを高強度の支柱に支持することができる。
したがって、発電量を増加できながらソーラーパネルに対する支持強度を向上でき、手摺の耐久性を向上できるから、ソーラーパネルならびに笠木の損傷を抑制でき、メンテナンスコストを一層低減できて経済的である。
【発明の効果】
【００１６】
請求項１に係る発明の手摺の構成によれば、手摺を現場に搬入して支柱をバルコニーのパラペットなどの固定部に立設固定した後、笠木を作業状態に変位させておき、その笠木の内面に、中継コネクタや電気配線や被覆テープ、更には工具などを載置しながら、ソーラーパネルで発生した電力を受けるための配設接続作業を行うことができる。
したがって、笠木を利用して、中継コネクタや電気配線や被覆テープや工具などを不測に落下させること無く、電気配線どうし、あるいは、電気配線と中継コネクタとの接続などを行うことができ、配線接続作業を容易に行える手摺を提供できる。
【図面の簡単な説明】
【００１７】
【図１】本発明に係る手摺の実施例１を示す全体正面図である。
【図２】図１のＡ−Ａ線拡大断面図である。
【図３】笠木を作業状態にした要部の拡大断面図である。
【図４】本発明に係る手摺の実施例２の要部の拡大断面図であり、（ａ）は使用状態を、そして、（ｂ）は突縁部を隙間の下方に位置させた状態をそれぞれ示している。
【図５】本発明に係る手摺の実施例２の要部の拡大断面図であり、（ａ）は突縁部を隙間に挿入した状態を、そして、（ｂ）は突縁部を係止部に係止させた状態をそれぞれ示している。
【図６】本発明に係る手摺の実施例３を示す全体斜視図である。
【図７】実施例３の全体側面図である。
【図８】実施例３の要部の一部省略拡大背面図である。
【図９】図８のＢ−Ｂ線断面図である。
【発明を実施するための最良の形態】
【００１８】
次に、この発明の実施例について図面を参照しながら説明する。
【実施例１】
【００１９】
図１は、本発明に係る手摺の実施例１を示す全体正面図であり、太陽電池が封入されたソーラーパネル１が、その全周にわたって周囲から支持枠２によって支持され、支持枠２の上面に、ソーラーパネル１に電気接続する中継コネクタ３が設けられ、支持枠２の上部に、中継コネクタ３およびそれに接続分離可能に接続される電気配線４を覆う状態で笠木５が設けられ、手摺が構成されている。ソーラーパネル１を支持枠２に支持させる構成としては、上述のように全周にわたって周囲から支持させる構成に限らず、例えば、ソーラーパネル１の２辺を支持させるとか、あるいは、ソーラーパネル１の１辺だけを支持させるとか、更には、ソーラーパネル１の１辺とそれに対向する辺の両角部分を支持させるなど、各種の支持構成が適用できる。
【００２０】
支持枠２の上方側部分と下方側部分それぞれの長手方向に所定間隔を隔てた箇所に支柱６が連結支持され、支柱６それぞれが、固定部としてのバルコニーのパラペット７の立ち上げ部８に立設されている。
【００２１】
図２の要部の拡大断面図（図１のＡ−Ａ線拡大断面図）に示すように、支持枠２の上面部分が一方に延出されて延出部分２ａが形成されるとともに延出部分２ａの先端が下方に曲げられて下向き部分２ｂが形成され、支柱６の上端に設けられた支持ブラケット６ａに延出部分２ａがネジ止めされている。
【００２２】
笠木５の内面に、アングル形状の取付片５ａと当接片５ｂとが一体的に設けられ、取付片５ａを支持枠２の延出部分２ａにネジ止めすることにより笠木５を支持枠２に取り付けるとともに、その取り付け状態で当接片５ｂを延出部分２ａに当接するようになっている。
【００２３】
笠木５の長手方向に直交する幅方向の一側縁が、支持枠２の一側縁の下部に笠木５の長手方向にスライド可能に係止されるとともに、その係止箇所を中心としてスライド方向の軸心周りで回転可能に設けられている。また、笠木５を支持枠２に取り付けた状態で、笠木５の長手方向に直交する幅方向の他側縁の端面が支持枠２の下向き部分２ｂに面接触状態で当接され、笠木５の内面側に外部から雨水が浸入することを防止できるよう構成されている。
【００２４】
上記構成により、中継コネクタ３および電気配線４を覆う使用状態（図２参照）と、図３の要部の拡大断面図に示す作業状態とに変位できるようになっている。すなわち、作業状態では、笠木５を、支持枠２への係止箇所を中心としてスライド方向の軸心周りで回転させ、支持枠２の上方を開放するとともに笠木５の内面を外方に向け、その笠木５の内面内に電気配線４などを受け止めることができるようになっている。
【００２５】
実施例１によれば、手摺を設置するに際し、支柱６を立設固定した後、笠木５を作業状態に変位させておき、その笠木５の内面に、中継コネクタ３や電気配線４や被覆テープ、更には工具などを載置しながら、中継コネクタ３や電気配線４や被覆テープや工具などを不測に落下させること無く、電気配線４どうし、あるいは、電気配線４と中継コネクタ３との接続などといった配線接続作業を容易に行える。
【実施例２】
【００２６】
図４の（ａ）は、本発明に係る手摺の実施例２の使用状態を示す要部の拡大断面図であり、実施例１と異なるところは次の通りである。
すなわち、支持枠２に取り付けた使用状態において、笠木５の長手方向に直交する幅方向の一側縁が、支持枠２の一側縁の下部に形成された膨出部１１に上部外方から当接され、笠木５の内面への雨水の浸入を防止できるよう構成されている。
【００２７】
膨出部１１の内面側に上向き開口の係止部１２が形成されている。一方、笠木５の長手方向に直交する幅方向の一側縁に、係止部１２に係脱可能に嵌入係止する突縁部１３が設けられている。
また、係止部１２と支持枠２の縦向き面との間に、突縁部１３を挿脱可能な隙間１４が形成されている。他の構成は実施例１と同じであり、同一図番を付すことにより、その説明は省略する。
【００２８】
上記構成により、支持枠２から上方に笠木５を取り外し、その取り外した笠木５の突縁部１３を隙間１４の下方に位置させ〔図４の（ｂ）の突縁部を隙間の下方に位置させた状態の要部の拡大断面図参照〕、その状態で笠木５を上昇させることにより、突縁部１３を隙間１４内に挿入することができる〔図５の（ａ）の突縁部を隙間に挿入した状態の要部の拡大断面図参照〕。
しかる後、笠木５を外方に移動させるとともにやや下方に移動させることにより、突縁部１３を係止部１２に係止させ、その係止状態で笠木５の長手方向に沿う軸心周りで笠木５を回転させることにより、笠木５の内面を外方に向けた作業状態に変位させることができる〔図５の（ｂ）の突縁部を係止部に係止させた状態の要部の拡大断面図参照〕。
【００２９】
この実施例２によれば、作業状態において、笠木５の内面に、中継コネクタ３や電気配線４や被覆テープ、更には工具などを載置しながら、中継コネクタ３や電気配線４や被覆テープや工具などを不測に落下させること無く、電気配線４どうし、あるいは、電気配線４と中継コネクタ３との接続などといった配線接続作業を容易に行える。
そのうえ、他物との衝突などによって笠木５が損傷したような場合でも、笠木５だけをその上方に取り外して容易に交換することができ、笠木５の内側に雨水が浸入して、電気配線４どうし、あるいは、電気配線４と中継コネクタ３との接続箇所から不具合が発生するといったことを早期に解消でき、メンテナンスコストを低減できて経済的である。
【実施例３】
【００３０】
図６は、本発明に係る手摺の実施例３の全体斜視図、図７は、実施例３の全体側面図、図８は、実施例３の要部の一部切欠拡大背面図、図９は、図８のＢ−Ｂ線断面図であり、実施例１と異なるところは次の通りである。
【００３１】
すなわち、互いに近接した一対の支柱２１ａ，２１ａの上端が連結部材２２で一体連結されて支柱２１が構成されている。
連結部材２２に支持枠２の上方側部分が取り付けられるとともに、一対の支柱２１ａ，２１ａの下方側に支持枠２の下端部が、外方に突出した連結支持部材２３を介して取り付けられ、ソーラーパネル１が、その下方側ほど外方に張り出す傾斜姿勢になるように支柱２１に取り付けられている。
【００３２】
連結支持部材２３には凹部２４が形成され、その凹部２４にネジ２５を入り込ませた状態で支柱２１ａに取り付けられ、ネジ２５の頭を覆うように凹部２４に化粧キャップ２６が設けられている。他の構成は実施例１と同じであり、同一図番を付すことにより、その説明は省略する。
【００３３】
実施例３によれば、ソーラーパネル１を、その下方側ほど外方に張り出す傾斜姿勢になるようにすることで、太陽光を受けやすくして受光光量を増加し、発電量を増加できる。更に、支柱２１自体の強度を高くし、重量が大きいソーラーパネル１を高強度の支柱２１に支持させて、ソーラーパネル１に対する支持強度を向上でき、手摺の耐久性を向上できて、ソーラーパネル１ならびに笠木５の損傷を抑制できる。
【００３４】
本発明の手摺は、開放廊下に沿って設けられる手摺とか、屋上の周囲に設けられる手摺とか、通路、歩道橋、ペデストリアンデッキなどに設けられる手摺などにも適用できる。
【符号の説明】
【００３５】
１…ソーラーパネル
２…支持枠
２ａ…支持枠の延出部分
２ｂ…支持枠の下向き部分
３…中継コネクタ
４…電気配線
５…笠木
１２…係止部
２１…支柱
２１ａ…支柱
２２…連結部材
２３…連結支持部材
【図１】
0005227371.tif 000002
【図２】
0005227371.tif 000003
【図３】
0005227371.tif 000004
【図４】
0005227371.tif 000005
【図５】
0005227371.tif 000006
【図６】
0005227371.tif 000007
【図７】
0005227371.tif 000008
【図８】
0005227371.tif 000009
【図９】
0005227371.tif 000010